(57)【要約】【課題】記録の信頼性を向上させて、所望の情報を物理的に交換可能な記録媒体に確実に記録することができる情報記録装置を提供する。【解決手段】図２（ａ）に示すように、情報記録装置１は、外部から入力され、エンコードされた記録フォーマットのデジタルデータを光ディスク３１ａに記録するとともに、ＨＤＤ４０にも記録する。このように、本実施形態においては、光ディスク３１ａだけにデジタルデータを記録する場合でも、ＨＤＤ４０にも当該デジタルデータを記録する。そして、図２（ｂ）に示すように、光ディスク３１ａに書き込みエラーが生じたときは、図２（ｃ）に示すように、光ディスク３１ａを光ディスク３１ｂに入れ替えて、ＨＤＤ４０の記録開始位置から、記録されたデジタルデータを光ディスク３１ｂに記録する。この結果、ユーザは、光ディスク３１ｂに所望のデジタルデータを得ることができる。【選択図】図２
2006338832.tif 000002
【特許請求の範囲】
【請求項１】
情報を入力する情報入力手段と、
入力された情報を第１の記録媒体に記録する第１の情報記録手段と、
入力された情報を、物理的に交換可能な第２の記録媒体に記録する第２の情報記録手段と、
前記第２の記録媒体における記録エラーを検知するエラー検知手段と、
前記エラー検知手段によりエラーが検知されたときは、前記第１の記録媒体に記録された情報を、記録エラーが生じた第２の記録媒体とは異なる新たな第２の記録媒体に記録するエラー復旧手段と、
を有することを特徴とする情報記録装置。
【請求項２】
前記エラー復旧手段は、
前記エラー検知手段でエラーが検知されたときには、当該エラーの発生を報知する手段と、
前記エラーの報知後に、前記新たな第２の記録媒体の存在を確認する手段と、
前記確認手段により前記新たな第２の記録媒体の存在が確認されたときは、前記第１の記録媒体に記録された情報を、記録エラーが生じた第２の記録媒体とは異なる新たな第２の記録媒体に記録する手段と、
を有することを特徴とする請求項１記載の情報記録装置。
【請求項３】
前記第２の情報記録手段は、
装填された複数の第２の記録媒体のいずれか１つに情報を記録し、
前記エラー復旧手段は、
前記エラー検知手段によりエラーが検知されたときは、前記第１の記録媒体に記録された情報を、装填された複数の第２の記録媒体のうち、記録エラーが生じていないいずれかの第２の記録媒体に記録することを特徴とする請求項１記載の情報記録装置。
【請求項４】
前記第２の情報記録手段は、
記録される第２の記録媒体を、情報を記録するごとに順次変更することを特徴とする請求項３記載の情報記録装置。
【請求項５】
第２の情報記録手段は、
前記第２の記録媒体に記録可能な記録容量を検知して、該記録容量を所定の記憶部に記憶する手段を有し、
前記エラー復旧手段は、
前記第２の記録媒体への記録容量が、前記記録部に記録された記録容量に達すると、情報入力を停止するように前記入力手段を制御することを特徴とする請求項１乃至４のいずれか1項に記載の情報記録装置。
【請求項６】
前記エラー復旧手段は、さらに、
前記記録エラーが生じた第２の記録媒体に記録済みの別の情報が存在するときは、当該別の情報を前記記録エラーが生じた第２の記録媒体から前記第１の記録媒体に転送して、記録する手段と、
前記第１の記録手段に記録された別の情報を前記新たな第２の記録媒体に記録する手段と、
を有することを特徴とする請求項１乃至５のいずれか１項に記載の情報記録装置。
【請求項７】
前記エラー復旧手段は、
前記第２の記録媒体への記録が正常に終了したときは、前記第１の記録媒体に記録された情報を消去することを特徴とする請求項１乃至６のいずれか1項に記載の情報記録装置。
【発明の詳細な説明】
【技術分野】
【０００１】
本発明は、デジタル情報を複数の記録媒体に記録することが可能な情報記録装置に関する。
【背景技術】
【０００２】
近年、ＤＶＤ（Digital Versatile Disk）及びハードディスクの双方に記録が可能なＤＶＤレコーダが普及している。このようなハードディスク内蔵型のＤＶＤレコーダの普及により、ユーザは、録画すべき映像情報を利用目的に応じて、ＤＶＤ又はハードディスクのいずれかの記録媒体に容易に記録することができる。
【０００３】
ところで、ＤＶＤに録画している際に、ドライブエラーが発生して、録画エラーとなると、録画がその時点で終了するだけでなく、録画エラーとなったＤＶＤは再生できないため、ユーザは、録画したかった映像情報すべてを失うことになる。このような不具合に対しては、予め、録画すべき映像情報をＤＶＤとハードディスクの双方に録画しておき、ＤＶＤにドライブエラーが発生したときには、ハードディスクに記録した映像情報をもとにＤＶＤ上のエラーを修復するという方法がある（例えば、特許文献１参照。）。
【０００４】
【特許文献１】登録実用新案３０９０１３５号公報
【発明の開示】
【発明が解決しようとする課題】
【０００５】
しかしながら、上述したエラーを修復する方法においては、追記型ＤＶＤのディスクに対しては、修復することができないという問題がある。また、書換型ＤＶＤのディスクに対しては、修復を試みても、書き込みエラーとなった箇所の上書きは、再び書き込みエラーとなる可能性が高いため、修復される可能性は低いという問題がある。
【０００６】
本発明は、上記の問題を解決するためになされたものであり、記録の信頼性を向上させて、所望の情報を物理的に交換可能な記録媒体に確実に記録することができる情報記録装置を提供することを目的とする。
【課題を解決するための手段】
【０００７】
上記目的を達成するため、請求項１記載の本発明は、情報を入力する情報入力手段と、入力された情報を第１の記録媒体に記録する第１の情報記録手段と、入力された情報を、物理的に交換可能な第２の記録媒体に記録する第２の情報記録手段と、前記第２の記録媒体における記録エラーを検知するエラー検知手段と、前記エラー検知手段によりエラーが検知されたときは、前記第１の記録媒体に記録された情報を、記録エラーが生じた第２の記録媒体とは異なる新たな第２の記録媒体に記録するエラー復旧手段と、を有することを特徴とする。
【０００８】
請求項２記載の本発明は、請求項１記載の発明において、前記エラー復旧手段は、前記エラー検知手段でエラーが検知されたときには、当該エラーの発生を報知する手段と、前記エラーの報知後に、前記新たな第２の記録媒体の存在を確認する手段と、前記確認手段により前記新たな第２の記録媒体の存在が確認されたときは、前記第１の記録媒体に記録された情報を、記録エラーが生じた第２の記録媒体とは異なる新たな第２の記録媒体に記録する手段と、を有することを特徴とする。
【０００９】
請求項３記載の本発明は、請求項１記載の発明において、前記第２の情報記録手段は、装填された複数の第２の記録媒体のいずれか１つに情報を記録し、前記エラー復旧手段は、前記エラー検知手段によりエラーが検知されたときは、前記第１の記録媒体に記録された情報を、装填された複数の第２の記録媒体のうち、記録エラーが生じていないいずれかの第２の記録媒体に記録することを特徴とする。
【００１０】
請求項４記載の本発明は、請求項３記載の発明において、前記第２の情報記録手段は、記録される第２の記録媒体を、情報を記録するごとに順次変更することを特徴とする。
【００１１】
請求項５記載の本発明は、請求項１乃至４のいずれか1項に記載の発明において、第２の情報記録手段は、前記第２の記録媒体に記録可能な記録容量を検知して、該記録容量を所定の記憶部に記憶する手段を有し、前記第２の記録媒体への記録容量が、前記記録部に記録された記録容量に達すると、情報入力を停止するように前記入力手段を制御することを特徴とする。
【００１２】
請求項６記載の本発明は、請求項１乃至５のいずれか1項に記載の発明において、前記エラー復旧手段は、さらに、前記記録エラーが生じた第２の記録媒体に記録済みの別の情報が存在するときは、当該別の情報を前記記録エラーが生じた第２の記録媒体から前記第１の記録媒体に転送して、記録する手段と、前記第１の記録手段に記録された別の情報を前記新たな第２の記録媒体に記録する手段と、を有することを特徴とする。
【００１３】
請求項７記載の本発明は、請求項１乃至６のいずれか1項に記載の発明において、前記エラー復旧手段は、前記第２の記録媒体への記録が正常に終了したときは、前記第１の記録媒体に記録された情報を消去することを特徴とする。
【発明の効果】
【００１４】
本発明の情報記録装置によれば、記録の信頼性を向上させて、所望の情報を物理的に交換可能な記録媒体に確実に記録することができる。
【発明を実施するための最良の形態】
【００１５】
以下、本発明の実施の形態を図面を用いて説明する。尚、以下の実施の形態は、ＤＶＤ、ＣＤ等の光ディスク及びハードディスクの記録媒体に対して、情報の記録及び再生が可能な情報記録装置に本発明を適用した場合の実施形態である。
【００１６】
図１は、本発明の実施の形態に係る情報記録装置１の概略構成図である。図１に示す情報記録装置１は、信号処理回路１０、操作入力・表示部２０、光ディスクドライブユニット３０、ハードディスクドライブ（以下、ＨＤＤと称す）４０、及びシステムコントローラ５０を備えている。
【００１７】
詳しくは、信号処理回路１０は、Ａ／Ｄデジタル信号処理部１１、エンコード部１２、デコード部１３、ＯＳＤ（On Screen Display）回路１４、及びＤ／Ａデジタル信号処理部１５を具備する構成である。
【００１８】
Ａ／Ｄデジタル信号処理部１１は、外部から入力された記録すべき情報（当該記録すべき情報は、具体的には、映像データ又は音声データ、あるいはその双方のデータが含まれる）に対応するＡＶ（Audio Visual）入力信号を所定のデジタルデータに処変換するようになっている。具体的には、ＡＶ入力信号がアナログ信号のときは、ＡＤ変換（analog to digital translation）を行い、また、ＡＶ入力信号がデジタル信号のときは、主にデジタルデータのフォーマット変換を行うようになっている。
【００１９】
エンコード部１２は、Ａ／Ｄデジタル信号処理部１１で処理されたデジタルデータを映像信号及び音声信号ごとにエンコードし、マルチプレクサ処理により１つの信号にまとめ、記録されるフォーマットに変換するようになっている。例えば、ＭＰＥＧ２（Moving Picture Experts Group phase 2）方式等の圧縮方式が用いられる。尚、記録フォーマットに変換されたデジタルデータは、ユーザによる設定に従い、光ディスク３１又はＨＤＤ４０に記録される。
【００２０】
デコード部１３は、光ディスク３１及びＨＤＤ４０に記録された記録フォーマットのデジタルデータをデコードするようになっている。
【００２１】
ＯＳＤ回路１４は、Ａ／Ｄデジタル信号処理されたデジタルデータ又はデコードされたデジタルデータに、システムコントローラ５０から出力されるＯＳＤ信号を重畳して、Ｄ／Ａデジタル信号処理部１５に出力するようになっている。尚、記録媒体の選択画面（図示せず；具体的には、光ディスク３１及び／又はＨＤＤ４０を選択する画面）の表示は、このＯＳＤ信号によるものである。また、後述する光ディスク３１への記録エラーが生じた際には、このＯＳＤ信号により記録エラーが報知されるようになっている。この結果、ユーザは、当該情報記録装置１に接続されたテレビジョン等で、光ディスク３１に発生した記録エラーを知ることができる。
【００２２】
Ｄ／Ａデジタル信号処理部１５は、外部に出力すべき情報のフォーマットにあわせて、ＤＡ変換（digital-to-analog translation）、又は所定のデジタルフォーマットへの変換を行うようになっている。
【００２３】
操作入力・表示部２０は、具体的には、リモコン受信部、各種ボタン及びＦＬ（FLuorescent Display）表示部（以上、図示せず）を備え、ユーザからの操作指示を受け付けるとともに、情報記録装置１の各種状態を表示するようになっている。例えば、ユーザからの記録すべき記録媒体の指示、光ディスク３１への記録エラーが生じたときのエラー表示などは、操作入力・表示部２０を介して行われるものである。この結果、ユーザは、ＦＬ表示部によっても光ディスク３１に発生した記録エラーを知ることができる。尚、本実施形態においては、ユーザは、光ディスク３１及びＨＤＤ４０のいずれか１つ以上を記録媒体として選択可能であるが、光ディスク３１だけを記録媒体として選択したときには、少なくとも光ディスク３１の作成が正常に終了するまでは（記録すべきデジタルデータがすべて光ディスク３１に記録されるまでは）、記録データのバックアップとして、光ディスク３１の他、ＨＤＤ４０にもデジタルデータが記録されるようになっている。
【００２４】
光ディスクドライブユニット３０は、記録媒体である光ディスク３１に対して、記録フォーマットに変換されたデジタルデータを記録可能であるとともに、記録されたデジタルデータを読み出し可能となっている。
【００２５】
詳しくは、光ディスクドライブユニット３０は、光ピックアップ３２と、トラッキング、フォーカスサーボ等に対して制御信号を送出することにより、光ピックアップ３２を所定位置に駆動させるサーボ処理部３３と、光ピックアップ３２からの読み取り信号を増幅して、増幅された信号の中から、記録されているデジタルデータを読み出して出力するとともに、サーボ処理部３３と光ピックアップ３２を駆動させ、所定位置に対して出力を調整しつつレーザを照射して光ディスク３１にデジタルデータを記録させる信号処理部３４と、サーボ処理部３３のトラッキングエラー又はフォーカシングエラー等を検知するエラー検知部３５を具備する構成となっている。ここで、本実施形態においては、光ディスク３１への書き込みエラー（記録エラー）が生じた際には、エラー検知部３５の機能により、記録エラーを検知して、記録エラーを表す信号をシステムコントローラ５０に出力するようになっている。尚、エラー検知部３５は、光ディスク３１に記録する際のエラー検知精度を高めるため、光ディスク３１にデジタルデータを書き込んだ後に、再度当該デジタルデータの読み込みを行い、当該デジタルデータとＨＤＤ４０に記録されたデジタルデータとを比較して、記録エラーを検知するようにしてもよい。
【００２６】
システムコントローラ５０は、情報記録装置１全体の制御を行うもので、具体的には、システムコントローラ５０の内部には、演算処理の主体となるＣＰＵ５１、所定の制御プログラムが記録されたＲＯＭ５２、ワークエリアなどとして利用されるＲＡＭ５３、外部機器を制御するための制御回路等が設けられている。即ち、システムコントローラ３０は、操作入力・表示部２０にて受け付けられた設定入力に応じて、光ディスクドライブユニット３０又はＨＤＤ４０に対してデジタルデータの記録及び読み出し制御を行うようになっている。
【００２７】
次に、本実施の形態に係る情報記録装置１の動作を図２乃至図４を用いて説明する。ここで、図２は、情報記録装置１がＨＤＤ４０及び光ディスク３１にデジタルデータを記録する際の記録領域を模式的に示すものであり、図の左から右に向かって連続的にデータを記録する様子を示している。図３は、情報記録装置１がデジタルデータをＨＤＤ４０に記録する動作を示すフローチャートであり、図４は、情報記録装置１がデジタルデータを光ディスク３１に記録する動作を示すフローチャートである。尚、図２乃至図４に示す処理は、システムコントローラ５０のＣＰＵ５１の制御によって行われるものである。また、図２乃至図４は、ユーザが記録媒体として、光ディスク３１、又は光ディスク３１とＨＤＤ４０を選択したときの動作を示している。
【００２８】
まず、図２を参照して、記録処理の概要について説明する。図２（ａ）に示すように、情報記録装置１は、外部から入力され、エンコードされた記録フォーマットのデジタルデータを光ディスク３１ａに記録するとともに、ＨＤＤ４０にも記録する。このように、本実施形態においては、ユーザの設定により光ディスク３１ａだけにデジタルデータを記録する場合でも、少なくとも光ディスク３１ａが正常に作成されるまでは、ＨＤＤ４０にも当該デジタルデータを記録する。
【００２９】
図２（ｂ）は、光ディスク３１ａに書き込みエラーが生じたときの様子を示している。このときは、図２（ｃ）に示すように、光ディスク３１ａを光ディスク３１ｂに入れ替えて、ＨＤＤ４０の記録開始位置から、記録されたデジタルデータを光ディスク３１ｂに記録する。この結果、ユーザは、光ディスク３１ｂに所望のデジタルデータを得ることができる。尚、ＨＤＤ４０から光ディスク３１ｂへの記録コピーは、高速処理が可能であるので、記録に要する実時間より短い時間で、新たな光ディスク３１ｂを作成することができる。つまり、録画終了時には光ディスク３１ｂの作成が追いついてきている。
【００３０】
次に、上述した記録処理の概要を踏まえて、情報記録装置１がＨＤＤ４０にデジタルデータを記録する動作を図３を用いて説明する。
【００３１】
ユーザから録画指示が、操作入力・表示部２０を介して行われると、システムコントローラ５０は、入力された録画開始条件から録画を開始するか否かを判断する（ステップＳ１０）。録画を開始すると判断したときは、システムコントローラ５０は、外部から入力され、エンコードされた記録フォーマットのデジタルデータをＨＤＤ４０に記録させる（ステップＳ２０，Ｓ３０）。
【００３２】
次いで、システムコントローラ５０は、入力された録画終了条件から録画を終了するか否かを判断する（ステップＳ４０）。録画を終了すると判断したときは、システムコントローラ５０は、エンコードを終了させて、録画を終了させる（ステップＳ５０）。
【００３３】
次に、情報記録装置１が光ディスク３１にデジタルデータを記録する動作を図４を用いて説明する。尚、図４に示す処理は、図３に示す処理と同時にマルチタスクとして処理される。
【００３４】
図３のステップＳ１０と同様に、ユーザから録画指示が、操作入力・表示部２０を介して行われると、システムコントローラ５０は、入力された録画開始条件から録画を開始するか否かを判断する（ステップＳ１１０）。録画を開始すると判断したときは、システムコントローラ５０は、光ディスクドライブユニット３０に対して記録を開始させる制御をする（ステップＳ１２０）。
【００３５】
次いで、システムコントローラ５０は、光ディスク３１に記録されていないエンコード済のデジタルデータが、ＨＤＤ４０（又はＲＡＭ５３）にあるか否かを判断する（ステップＳ１３０）。これは、本実施形態においては、光ディスク３１とＨＤＤ４０への記録をほぼ同時に行うが、光ディスク３１にまだ記録されていないエンコード済のデジタルデータが、ＲＡＭ５３に残っていない場合（新しいデジタルデータによって上書きされてしまっている場合）には、ＨＤＤ４０から光ディスク３１へ記録するということである。
【００３６】
エンコード済のデジタルデータがあるときは、システムコントローラ５０は、光ディスクドライブユニット３０に対して当該デジタルデータを光ディスク３１に記録するように制御する（ステップＳ１４０）。これにより、光ディスク３１には、デジタルデータが記録される。
【００３７】
次いで、システムコントローラ５０は、光ディスク３１への記録エラーがあるか否かを判断する（ステップＳ１５０）。これは、光ディスク３１への記録エラーがあるときは、光ディスクドライブユニット３０のエラー検知部３５が記録エラーを検知するので、システムコントローラ５０が、エラー検知部３５からの記録エラー信号を受け取ったときは、記録エラーが生じたものと判断するものである。
【００３８】
光ディスク３１への記録エラーがないときは、システムコントローラ５０は、入力された録画終了条件から録画を終了するか否かを判断する（ステップＳ１６０）。録画を終了する判断したときは、システムコントローラ５０は、光ディスクドライブユニット３０に対して記録を終了させるように制御して、録画を終了させる（ステップＳ１７０）。
【００３９】
尚、この時点においては、光ディスク３１にはデジタルデータが完全なる形で記録されているので、ユーザにより選択された記録媒体が光ディスク３１だけのときは、システムコントローラ５０は、ＨＤＤ４０に対して、不要となった当該デジタルデータを消去するように制御する（ステップＳ１８０，Ｓ１９０）。一方、ユーザにより選択された記録媒体が光ディスク３１及びＨＤＤ４０の双方であるときは、ＨＤＤ４０に記録されたデジタルデータを消去せず、処理を終了する（ステップＳ１８０）。
【００４０】
これに対して、光ディスク３１への記録エラーがあるときは、システムコントローラ５０は、操作入力・表示部２０及びＯＳＤ信号を介して、記録エラーの表示を行うように制御する（ステップＳ２００）。尚、この記録エラーの表示には、記録エラーの発生を示す情報の他、ユーザに別の光ディスク３１の作成を促す情報も表示される。
【００４１】
次いで、ユーザにより別の光ディスク３１の作成が操作入力・表示部２０を介して指示されたときは、システムコントローラ５０は、別の光ディスク３１が挿入されていることを確認して、光ディスクドライブユニット３０に対して光ディスク３１に記録を開始させる制御をする（ステップＳ２１０，Ｓ２２０，Ｓ１２０）。これにより、光ディスクドライブユニット３０は、録画終了となるまで、ＨＤＤ４０に記録されていたデジタルデータを最初から別の光ディスク３１に記録する（ステップＳ１３０〜Ｓ１９０）。一方、別の光ディスク３１の作成が指示されないときは、新たな光ディスク３１を作成せずに、処理を終了する（ステップＳ２１０）。
【００４２】
従って、本実施の形態によれば、光ディスク３１とＨＤＤ４０を備えた情報記録装置１において、所望のデータを光ディスク３１に記録する場合、所望のデータを光ディスク３１とＨＤＤ４０の双方に記録しておくので、光ディスク３１で記録エラーが生じたとしても、別の光ディスク３１に入れ替えることにより、ＨＤＤ４０に記録された同一データを最初から別の光ディスク３１に記録し直すことができる。
【００４３】
この結果、ユーザは確実に所望のデータが記録された光ディスク３１を得ることができる。また、情報記録装置１は、ユーザに記録エラーが発生したことを報知するので、記録エラーが発生した時点で別の光ディスク３１に入れ替えれば、実録時間に追随する形で別の光ディスク３１が作成され、所望のデータが記録された光ディスクをより迅速に得ることができる。
【００４４】
尚、本実施形態における光ディスク３１は、書換型の光ディスク３１であっても、追記型の光ディスク３１であってもよいので、より広範に本発明を適用できるものである。
【００４５】
以上、本発明の実施の形態について説明してきたが、本発明の要旨を逸脱しない範囲において、本発明の実施の形態に対して種々の変形や変更を施すことができる。例えば、本実施の形態の変形例１としては、録画開始時に光ディスク３１の残り記録容量を読み出し、記憶しておき、記録エラーが生じた後にも記憶された記録容量で録画を終了させるように制御してもよい。これにより、交換された光ディスク３１への記録が途中であったり、始まっていない場合であっても、記録するデジタルデータが新しい光ディスク３１の容量オーバーとなることはないので、所望のデジタルデータが記録された光ディスク３１をより確実に作成することができる。
【００４６】
図５は、変形例１において、情報記録装置１がＨＤＤ４０にデジタルデータを記録する動作を示すフローチャートである。尚、情報記録装置１が光ディスク３１にデジタルデータを記録する動作については、図４と同じなので、説明は省略する。
【００４７】
ユーザから録画指示が、操作入力・表示部２０を介して行われると、システムコントローラ５０は、入力された録画開始条件から録画を開始するか否かを判断する（ステップＳ１０）。録画を開始すると判断したときは、システムコントローラ５０は、光ディスク３１の残り記録容量（記録時間）を読み出して、ＲＡＭ５３に記憶し、外部から入力され、エンコードされた記録フォーマットのデジタルデータをＨＤＤ４０に記録させる（ステップＳ１５，Ｓ２０，Ｓ３０）。
【００４８】
次いで、システムコントローラ５０は、ＨＤＤ４０に記録されている記録容量（記録時間）が記憶された記録容量（記録時間）に達したか否かを確認する（ステップＳ３５）。ＨＤＤ４０に記録されている記録容量（記録時間）が記録容量（記録時間）に達したときは、システムコントローラ５０は、録画を終了させるため、ＨＤＤ４０に対して記録を終了させるように制御する（ステップＳ５０）。一方、ＨＤＤ４０に記録されている記録容量（記録時間）が記録容量（記録時間）に達していないときは、システムコントローラ５０は、入力された録画終了条件から録画を終了するか否かを判断する（ステップＳ５４０）。録画を終了すると判断したときは、システムコントローラ５０は、エンコードを終了させて、録画を終了させる（ステップＳ５０）。
【００４９】
従って、変形例１によれば、記録開始時における光ディスク３１の残りの記録容量を限度として、録画を終了するので、記録エラーにより新しい光ディスク３１への復旧が発生したとしても、光ディスク３１の容量オーバーとなることはないという効果がある。
【００５０】
また、本実施の形態の変形例２としては、記録エラーが発生した光ディスク３１に既に記録済みの別のデジタルデータが存在する場合には、当該デジタルデータをエラーになった光ディスク３１から一旦ＨＤＤ４０にコピーした上で、新しい光ディスク３１に入れ替えて、一旦コピーしたデジタルデータをＨＤＤ４０から新しい光ディスク３１に記録する処理を上記実施例に加えてもよい。これにより、当該デジタルデータを全く損なうことなく、当初作成しようとしていた光ディスク３１と同じものを作成することができる。
【００５１】
また、本実施の形態の変形例３としては、光ディスク３１のドライブを２つ搭載してもよい。即ち、上記実施形態においては、光ディスク３１のドライブは１つであったので、記録エラーが生じた際には、ユーザにより光ディスク３１の交換が必要であったが、変形例３においては、予め、２ドライブそれぞれに光ディスク３１を挿入しておくので、記録エラーが生じても、ユーザによる光ディスク３１の交換は不要であり、記録エラーの際は、記録エラーが生じていない別の光ディスク３１に対して自動的に記録を開始するものである。
【００５２】
図６は、変形例３において、情報記録装置１が光ディスク３１にデジタルデータを記録する動作を示すフローチャートである。尚、情報記録装置１がＨＤＤ４０にデジタルデータを記録する動作については、図３と同じなので、説明は省略する。
【００５３】
ユーザから録画指示が、操作入力・表示部２０を介して行われると、システムコントローラ５０は、入力された録画開始条件から録画を開始するか否かを判断する（ステップＳ３１０）。録画を開始すると判断したときは、システムコントローラ５０は、光ディスクドライブユニット３０に対して、ドライブ１の光ディスク３１ａに記録を開始させる制御をする（ステップＳ３２０）。
【００５４】
次いで、システムコントローラ５０は、光ディスク３１ａに記録されていないエンコード済のデジタルデータが、ＨＤＤ４０（又はＲＡＭ５３）にあるか否かを判断する（ステップＳ３３０）。エンコード済のデジタルデータがあるときは、システムコントローラ５０は、光ディスクドライブユニット３０に対して当該デジタルデータをドライブ１の光ディスク３１ａに記録するように制御する（ステップＳ３４０）。
【００５５】
次いで、システムコントローラ５０は、ドライブ１の光ディスク３１ａへの記録エラーがあるか否かを判断する（ステップＳ３５０）。ドライブ１の光ディスク３１ａへの記録エラーがないときは、システムコントローラ５０は、入力された録画終了条件から録画を終了するか否かを判断する（ステップＳ３６０）。録画を終了する判断したときは、システムコントローラ５０は、光ディスクドライブユニット３０に対して、ドライブ１の光ディスク３１ａへの記録を終了させるように制御して、録画を終了させる（ステップＳ３７０）。
【００５６】
そして、ユーザにより選択された記録媒体が光ディスク３１だけのときは、ユーザにより選択された記録媒体が光ディスク３１だけのときは、システムコントローラ５０は、ＨＤＤ４０に対して、不要となった当該デジタルデータを消去するように制御する（ステップＳ３８０，Ｓ３０）。一方、ユーザにより選択された記録媒体が光ディスク３１及びＨＤＤ４０の双方であるときは、ＨＤＤ４０に記録されたデジタルデータを消去せず、処理を終了する（ステップＳ３８０）。
【００５７】
これに対して、ドライブ１の光ディスク３１ａへの記録エラーがあるときは、システムコントローラ５０は、操作入力・表示部２０及びＯＳＤ信号を介して、記録エラーの表示を行うように制御する（ステップＳ４００）。そして、システムコントローラ５０は、光ディスクドライブユニット３０に対して、ドライブ２の光ディスク３１ｂに記録を開始させる制御をする（ステップＳ４１０）。
【００５８】
次いで、システムコントローラ５０は、光ディスク３１ｂに記録されていないエンコード済のデジタルデータが、ＨＤＤ４０（又はＲＡＭ５３）にあるか否かを判断する（ステップＳ４２０）。エンコード済のデジタルデータがあるときは、システムコントローラ５０は、光ディスクドライブユニット３０に対して、当該デジタルデータをドライブ２の光ディスク３１ｂに記録するように制御する（ステップＳ４３０）。これにより、光ディスクドライブユニット３０は、録画終了となるまで、ＨＤＤ４０に記録されていたデジタルデータを新たな光ディスク３１ｂに記録する（ステップＳ４４０〜Ｓ４６０）。尚、ドライブ２の光ディスク３１ｂへの記録エラーがあるときは、システムコントローラ５０は、全てのドライブで記録エラーが発生したことを表示して、ＨＤＤ４０のデジタルデータを消去せずに、処理を終了する（ステップＳ４４０，Ｓ４７０）。勿論、ここで新たに光ディスク３１を入れ替えさせる処理を加えてもよい。
【００５９】
従って、変形例２によれば、予め２枚の光ディスク３１が挿入されており、記録エラーが生じると、記録エラーが生じていない光ディスク３１に自動的に記録するので、上記実施の形態の効果に加えて、光ディスク３１を交換する手間がいらないという効果がある。
【００６０】
尚、変形例２においては、通常時に記録される光ディスク３１のドライブ及び記録エラー発生時に記録されるドライブは固定されていたが、通常時に記録される光ディスク３１のドライブは固定されていなくてもよい。即ち、通常時において記録されるドライブを交互に設定してもよい（ドライブ１及びドライブ２に対して交互に記録する）。この場合には、書き込みされる光ディスク３１が長期間放置されることがないので、汚れ付着による書き込みエラーを極力防止できるという効果がある。
【００６１】
さらには、変形例２においては、光ディスク３１のドライブを２つ搭載したが、本発明はこれに限定されるものではなく、光ディスク３１のドライブを３以上搭載してもよいのは勿論である。
【００６２】
また、上記実施形態においては、２種類の記録媒体（光ディスク３１、ＨＤＤ４０）を用いたが、３種類以上の記録媒体に対して、同じ内容のデジタルデータを同時に記録させるようにしてもよい。これにより、所望のコンテンツに対する記録の確実性がさらに向上するものである。
【００６３】
また、上記実施形態においては、同一の記録フォーマットで光ディスク３１とＨＤＤ４０に記録するようにしたが、本発明はこれに限定されず、記録媒体ごとに異なる記録フォーマットで記録してもよいものである。
【図面の簡単な説明】
【００６４】
【図１】本発明の実施の形態に係る情報記録装置の概略構成図である。
【図２】本発明の実施の形態に係る情報記録装置のＨＤＤに記録する動作を示すフローチャートである。
【図３】本発明の実施の形態に係る情報記録装置の光ディスクに記録する動作を示すフローチャートである。
【図４】本発明の実施の形態に係る情報記録装置のＨＤＤ及び光ディスクにデータを記録する際の記録領域を模式的に示す図である。
【図５】本発明の実施の形態に係る情報記録装置のＨＤＤに記録する動作の変形例を示すフローチャートである。
【図６】本発明の実施の形態に係る情報記録装置の光ディスクに記録する動作の変形例を示すフローチャートである。。
【符号の説明】
【００６５】
１  情報記録装置
１０  信号処理回路
１１  Ａ／Ｄデジタル信号処理部
１２  エンコード部
１３  デコード部
１４  ＯＳＤ回路
１５  Ｄ／Ａデジタル信号処理部
２０  操作入力・表示部
３０  光ディスクドライブユニット
３１  光ディスク
３２  光ピックアップ
３３  サーボ処理部
３４  信号処理部
３５  エラー検知部
４０  ＨＤＤ
５０  システムコントローラ
５１  ＣＰＵ
５２  ＲＯＭ
５３  ＲＡＭ
【図１】
2006338832.tif 000003
【図２】
2006338832.tif 000004
【図３】
2006338832.tif 000005
【図４】
2006338832.tif 000006
【図５】
2006338832.tif 000007
【図６】
2006338832.tif 000008